(57)【要約】【課題】断熱性に優れると共に、地震時等の水平力をしっかりと受け止めることができ、しかも、それを簡素な構造で実現することができる耐力パネル等を提供する。【解決手段】例えば耐力壁パネル１を対象とし、パネルフレーム２で囲まれた内部に発泡ウレタン板３が備えられている。発泡ウレタン板３は、パネルフレーム２に対し、発泡時の接着性で接着一体化されていてもよいし、発泡時の接着性で一部接着一部非接着であってもよいし、全部非接着であってもよい。【選択図】      図１
2006083640.tif 000002
【特許請求の範囲】
【請求項１】
発泡ウレタン板を耐力要素とした耐力パネル。
【請求項２】
パネルフレームで囲まれた内部に前記発泡ウレタン板が備えられている請求項１に記載の耐力パネル。
【請求項３】
前記発泡ウレタン板が、発泡時の接着性でパネルフレームに接着一体化されている請求項２に記載の耐力パネル。
【請求項４】
前記発泡ウレタン板が、パネルフレームに対し、発泡時の接着性で一部接着一部非接着、または、全部非接着で備えられている請求項２に記載の耐力パネル。
【請求項５】
耐力壁パネルである請求項１乃至４のいずれか一に記載の耐力パネル。
【請求項６】
請求項１乃至５のいずれか一に記載の耐力パネルが組み込まれている建物等の構造物。
【発明の詳細な説明】
【技術分野】
【０００１】
本発明は、耐力壁パネルなどとして用いられる耐力パネル及び建物等の構造物に関する。
【背景技術】
【０００２】
パネルフレーム内に原液状態のウレタンを注入充填し、該ウレタンを発泡時の接着性でパネルフレームに接着一体化した断熱外壁パネルは、従来より知られている。そして、この断熱外壁パネルを使用した建物では、地震時等の水平力に建物が耐えるように、内部の発泡ウレタンとは別にブレース等の耐力要素が入れられ、該耐力要素が地震時の水平力を受け止める構造にされている。
【特許文献１】特開平１０−１２１６４９号公報
【発明の開示】
【発明が解決しようとする課題】
【０００３】
しかしながら、断熱要素と耐力要素とをそれぞれ個別にパネルに組み込む構造では、パネルの構造が複雑化してしまうという問題がある。
【０００４】
本発明は、上記のような問題点に鑑み、断熱性に優れると共に、地震時等の水平力をしっかりと受け止めることができ、しかも、それを簡素な構造で実現することができる耐力パネル等を提供することを課題とする。
【課題を解決するための手段】
【０００５】
上記の課題において、本発明者らは、調査と研究を重ねた結果、パネルフレーム内に発泡ウレタンを接着一体化したパネルそれ自体、また、発泡ウレタン板それ自体が非常に高い剛性と強度を備えており、それ自体で耐力要素となりうることを突き止め、本発明を完成するに至った。
【０００６】
即ち、第１発明は、発泡ウレタン板を耐力要素とした耐力パネルを内容とする。また、第２発明は、パネルフレームで囲まれた内部に前記発泡ウレタン板が備えられている耐力パネルを内容とする。
【０００７】
上記の各耐力パネルでは、発泡ウレタン板が、断熱要素として働くと共に、地震時等の水平力を受け止める耐力要素としても働くようになされているので、この耐力パネルに、発泡ウレタン板とは別に耐力要素を備えさせる必要がなく、断熱と耐力に優れた耐力パネルを簡素な構造で実現することができる。
【０００８】
第２発明の耐力パネルにおいて、発泡ウレタン板が、発泡時の接着性でパネルフレームに接着一体化されている場合（第３発明）は、発泡ウレタンとパネルフレームとの協働作用によって降伏荷重値の高い、非常に強い耐力パネルにすることができる。
【０００９】
また、第２発明の耐力パネルにおいて、発泡ウレタン板が、パネルフレームに対し、発泡時の接着性で一部接着一部非接着、または、全部非接着で備えられている場合（第４発明）は、発泡ウレタンの圧縮束機能が弱められ、粘りを発揮することができるようになって、エネルギー吸収能に優れた耐力パネルにすることができる。
【００１０】
また、上記の第１〜第４発明のいずれかの耐力パネルにおいて、該耐力パネルが耐力壁パネルである場合（第５発明）は、このパネルを建物等の構造物の壁に用いることで、断熱性に優れ、地震時等の水平力にしっかりと耐える壁を簡素な構造で実現することができる。
【００１１】
更に、本発明は、上記の第１〜第５発明のいずれかの耐力パネルが組み込まれている建物等の構造物（第６発明）も内容として含み、この構造物では、断熱性に優れ、地震時等の水平力にしっかりと耐える構造物を簡素な構造で実現することができる。
【発明の効果】
【００１２】
本発明の耐力パネル等は、以上のとおりのものであるから、断熱性に優れると共に、地震時等の水平力をしっかりと受け止めることができ、しかも、それを簡素な構造で実現することができる。
【発明を実施するための最良の形態】
【００１３】
次に、本発明の実施最良形態を図面に基づいて説明する。
【００１４】
図１に示す実施形態の耐力パネル１は、建物に用いられる耐力壁パネルについてのもので、２はパネルフレーム、３は発泡ウレタン板である。パネルフレーム２は、図２（ロ）に示すように、縦横の溝形鋼製フレーム材２ａ…を方形環状に組んだもので、これらフレーム材２ａ…で囲まれた内部に、図２（イ）に示すように、発泡ウレタン板３が備えられている。本実施形態の発泡ウレタン板３は、原液状態のウレタンをパネルフレーム２内に注入充填し、発泡させて備えられたものである。発泡ウレタン板３は、ウレタンの発泡時の接着性でパネルフレーム２に接着一体化されたものであってもよいし、発泡時の接着性で一部接着一部非接着の状態で備えられたものであってもよいし、全部非接着で備えられたものであってもよい。
【００１５】
上記の耐力壁パネル１では、これを建物の外壁や内壁に耐力壁として組み込むことにより、発泡ウレタン板３が、断熱要素として働くと共に、地震時等の水平力Ｆを受け止める耐力要素として働き、そのため、発泡ウレタン板３とは別に耐力要素を備えさせる必要がなく、あるいは、必要が少なくなり、断熱と耐力に優れた建物の壁を簡素な構造で実現することができる。
【００１６】
そして、発泡ウレタン板３が、ウレタンの発泡時の接着性でパネルフレーム２に接着一体化されている場合は、発泡ウレタン板３とパネルフレーム２との協働作用によって降伏荷重値の高い、非常に強い耐力壁パネルにすることができる。
【００１７】
また、発泡ウレタン板３が、パネルフレーム２に対し、発泡時の接着性で一部接着一部非接着、または、全部非接着で備えられている場合は、発泡ウレタン板３の圧縮束機能が弱められ、粘りを発揮することができるようになって、エネルギー吸収能に優れた耐力壁パネルにすることができる。
【００１８】
以上に、本発明の実施形態を示したが、本発明はこれに限られるものではなく、発明思想を逸脱しない範囲で各種の変更が可能である。例えば、上記の実施形態では、パネルフレーム２が鋼製等の金属製の溝形フレーム材２ａ…で構成されている場合を示したが、パネルフレームを構成するフレーム材の材質や断面形状、パネルフレームの組み方などに制限はなく、木製のパネルフレームであってもよい。また、本発明の耐力パネルは、壁パネルとしてのほか、様々な耐力パネルとして用いることができるものであり、また、建物に限らず、各種構造物の耐力パネルとして用いるものである。更に、パネルフレーム２と発泡ウレタン板３とを一部か全部を接着する場合の接着は、ウレタン発泡時の接着性を利用しない接着方法で行われたものであってもよい。また、本発明の耐力パネルは、発泡済みのウレタン板をパネルフレームに組み込んだものであってもよい。
【図面の簡単な説明】
【００１９】
【図１】実施形態の耐力壁パネルを示すもので、図（イ）は正面図、図（ロ）は図（イ）のＩ−Ｉ線断面図である。
【図２】図（イ）は同斜視図、図（ロ）はパネルフレームの斜視図である。
【符号の説明】
【００２０】
１…耐力壁パネル（耐力パネル）
２…パネルフレーム
３…発泡ウレタン板
【図１】
2006083640.tif 000003
【図２】
2006083640.tif 000004